(57)【特許請求の範囲】
【請求項１】
対向した一対の長さ方向壁と、前記長さ方向壁の各端部同士を連結する外方に湾曲した一対の対向した横断壁と、前記長さ方向壁及び横断壁によって構成される長円形の底面に設けられる底壁とを有し、前記長さ方向壁の端部の内面に三角片が設けられた外壁補修工事用安全シュートを建築物の外壁と足場との間の所望箇所に取り付けるための取付け具であって、
細長い矩形のプレート状の鋼鉄で形成された本体と、
前記本体の一端に取り付けられた横断面が弧状のパイプ受け部と、
前記本体の他端に回転可能に取り付けられた壁当て部とを備え、
前記シュートの前記長さ方向壁の各端部のところでそれぞれ、前記壁当て部の角部を前記三角片に引っ掛けた状態で前記壁当て部を前記外壁に押しつけ、かつ、板バネとして作用する前記本体を湾曲させて、前記足場の側に位置する前記長さ方向壁の端部を前記パイプ受け部と前記足場のパイプ柱との間に配置した状態で前記パイプ受け部を前記パイプ柱に押し当てることによって、前記シュートを取り付けるように構成されていることを特徴とする取付け具。
【請求項２】
前記壁当て部の両端が、前記本体から遠去かる方へ僅かに突出しており、突出した箇所に緩衝材が取り付けられていることを特徴とする請求項１に記載の取付け具。
【発明の詳細な説明】
【技術分野】
【０００１】
本発明は一般に、シュート又は養生シートの取付け具、並びに該取付け具を用いるのに適した外壁補修工事用安全シュートに関する。より詳細には、本発明は、外壁補修工事に用いられるシュート又は養生シートを迅速かつ容易に取り付けるための外壁補修工事用安全シュート又は養生シートの取付け具、並びに該取付け具を用いるのに適した外壁補修工事用安全シュートに関する。
【背景技術】
【０００２】
古い建築物における外壁補修工事は、一般的に、外壁の周囲に組んだ足場の上に作業者が載って、タイル等の古い外壁材を剥がした後、新しい外壁材を外壁に貼る等して施工することによって行われる。この際、外壁から剥がした古い外壁材は、足場の上に一旦落としておき、その後、清掃することによって処理していたが、このような作業方法では、外壁材を剥がす際に撤去材が誤って地上に落下しないように足場の周囲に安全ネットを張りめぐらさなければならず、作業に手間と時間がかかるとともに、作業コストを増大させる一因ともなる等の種々の不都合がある。
【０００３】
このような現状に鑑みて、本発明者は、古い建築物の外壁補修工事における手間を軽減し、作業時間と作業コストを減少させる安全な外壁補修工事用安全シュート、安全シュート取付け具及び外壁補修方法を提案した（特許文献１〜３参照）。
【０００４】
【特許文献１】特許第３４４６９５８号公報
【特許文献２】特開２００６−１３８１１６号公報
【特許文献３】特開２００６−３１６４７５号公報
【発明の開示】
【発明が解決しようとする課題】
【０００５】
本発明は、上述の特許文献１及び２に記載されている外壁補修工事用安全シュートを迅速かつ容易に取り付けるための取付け具を提供することを目的としている。また、本発明は、上述の取付け具を用いるのに適した外壁補修工事用安全シュートを提供することを目的としている。
【課題を解決するための手段】
【０００６】
本願請求項１に記載の、対向した一対の長さ方向壁と、前記長さ方向壁の各端部同士を連結する外方に湾曲した一対の対向した横断壁と、前記長さ方向壁及び横断壁によって構成される長円形の底面に設けられる底壁とを有し、前記長さ方向壁の端部の内面に三角片が設けられた外壁補修工事用安全シュートを建築物の外壁と足場との間の所望箇所に取り付けるための取付け具は、細長い矩形のプレート状の鋼鉄で形成された本体と、前記本体の一端に取り付けられた横断面が弧状のパイプ受け部と、前記本体の他端に回転可能に取り付けられた壁当て部とを備え、前記シュートの前記長さ方向壁の各端部のところでそれぞれ、前記壁当て部の角部を前記三角片に引っ掛けた状態で前記壁当て部を前記外壁に押しつけ、かつ、板バネとして作用する前記本体を湾曲させて、前記パイプ受け部を前記足場の側に位置する前記長さ方向壁の端部及び前記足場のパイプ柱に押し当てることによって、前記シュートを取り付けるように構成されていることを特徴とするものである。
【０００７】
本願請求項２に記載の外壁補修工事用安全シュート又は養生シートを建築物の外壁と足場との間の所望箇所に取り付けるための取付け具は、前記請求項１の取付け具において、前記壁当て部の両端が、前記本体から遠去かる方へ僅かに突出しており、突出した箇所に緩衝材が取り付けられていることを特徴とするものである。
【発明の効果】
【０００９】
本発明の取付け具によれば、建築物の外壁と足場との間隔に無関係に、外壁補修工事用安全シュート又は養生シートを、外壁と足場との間の所望箇所に迅速かつ容易に取り付けることができる。また、シュート又は養生シートの取り外しも容易である。また、本発明の外壁補修工事用安全シュートによれば、横断壁が外方に湾曲しているので、本発明の取付け具の使用が容易となる。
【発明を実施するための最良の形態】
【００１０】
次に、図面を参照して、本発明の好ましい実施の形態に係る外壁補修工事用安全シュート又は養生シートの取付け具について詳細に説明する。図１は、本発明の好ましい実施の形態に係る外壁補修工事用安全シュート又は養生シートの取付け具の斜視図、図２（ａ）は、図１の取付け具の平面図、図２（ｂ）は、図１の取付け具の正面図、図２（ｃ）は、図１の取付け具の左側面図、図２（ｄ）は、図１の取付け具の左側面図である。図１において全体として参照符号１０で示される本発明の好ましい実施の形態に係る外壁補修工事用安全シュート又は養生シートの取付け具は、細長い矩形のプレート状の鋼鉄で形成された本体１２を備えている。
【００１１】
外壁補修工事用安全シュート又は養生シートの取付け具１０は又、本体１２の一端に取り付けられた横断面が弧状のパイプ受け部１４を備えている。パイプ受け部１４は、後述するように、足場のパイプ材を受けるための部分である。
【００１２】
外壁補修工事用安全シュート又は養生シートの取付け具１０は更に、本体１２の他端に取り付けられた壁当て部１６を備えている。壁当て部１６は、補修しようとする壁に当てるための部分である。
【００１３】
好ましくは、壁当て部１６は、両端１６ａが本体１２から遠去かる方へ僅かに突出しており、更に突出した箇所に緩衝材１６ｂが取り付けられている。緩衝材１６ｂとしては、例えばゴムが用いられる。壁当て部１６をこのような形状にし、緩衝材１６ｂを取り付けることにより、壁に当てたときに壁との密着度が高くなる。
【００１４】
また、好ましくは、壁当て部１６は、ピン１８によって本体１２に回転可能に取り付けられている。本体１２と壁当て部１６との取り付け箇所を回転可能にすることにより、取付け具１０を用いてシュートを設置する際の融通性を高めることができる。
【００１５】
次に、上述の取付け具１０を用いるのに適した外壁補修工事用安全シュート２０について説明する。外壁補修工事用安全シュート２０は、図３に示されるように、対向した一対の長さ方向壁２２ａ、２２ｂと、該長さ方向壁２２ａ、２２ｂの各端部同士を連結する外方に湾曲した一対の対向した横断壁２２ｃ、２２ｄと、長さ方向壁２２ａ、２２ｂ及び横断壁２２ｃ、２２ｄによって構成される長円形の底面に設けられる底壁２２ｅとを備えている。
【００１６】
底壁２２ｅの所定の箇所には、剥がした外壁材を投入するための開口部２４が設けられている。開口部２４の下方には、開口部２４から投入された外壁材を一時的に溜めるための袋２６が取付けられている。好ましくは、袋２６は、面ファスナー又はスナップ等を用いて、底壁２２ｅに取り外し可能に取り付けられている。
【００１７】
一方の長さ方向壁２２ｂには、後述するように、剥がした外壁材が足場の方へ飛散するの防止するため、飛散防止壁２８が設けられており、飛散防止壁２８の縁部には、飛散防止壁２８を足場のパイプ柱に固定し易いように、面ファスナー２８ａが取り付けられている。
【００１８】
また、長さ方向壁２２ａの端部の内面には、取付け具１０の壁当て部１６を引っ掛けるための三角片２２ａ１が設けられている。
【００１９】
次に、図４及び図５を参照して、以上のように構成された外壁補修工事用安全シュート又は養生シートの取付け具１０を使用して外壁補修工事用安全シュート２０を取り付ける方法について説明する。図４（ａ）及び図４（ｂ）は、取付け具１０によって安全シュート２０が取付けられている状態を示した図である。
【００２０】
まず、図４（ａ）に示されるように、建築物と足場との間の所望の箇所に、外壁補修工事用安全シュート２０を配置する。そして、取付け具１０の壁当て部１６の角部を長さ方向壁２２ａの三角片２２ａ１に引っ掛けた状態で壁当て部１６を外壁に押しつけ、取付け具１０の本体１２を湾曲させて、取付け具１０のパイプ受け部１４を足場のパイプ柱に押し当てる（シュート２０の横断壁２２ｃ、２２ｄが外方に湾曲しているので、取付け具１０の本体１２を容易に湾曲させることができる。図５参照）。この際、本体１２が板バネとして作用するので、建築物と足場との間の距離に無関係に、外壁補修工事用安全シュート２０を所望の箇所に迅速に設置することができる。なお、外壁補修作業の際に剥がした外壁材が足場の方へ飛散しないように飛散防止壁２８を立てて足場のパイプ柱に固定するのがよい。
【００２１】
なお、図４（ａ）及び４（ｂ）に示される例では、剥がした外壁材を入れる袋２６の下端が閉鎖しているが、図４（ｃ）及び４（ｄ）に示されるように、一段下の足場に容器を置き、シュート２０の開口部２４と容器をシュート２６′で連結するようにしてもよい。
【００２２】
本発明は、以上の発明の実施の形態に限定されることなく、特許請求の範囲に記載された発明の範囲内で、種々の変更が可能であり、それらも本発明の範囲内に包含されるものであることはいうまでもない。
【００２３】
例えば、前記実施の形態においては、専ら外壁補修工事用安全シュートの取り付けに関連して説明されているが、本発明の取り付け具を、通常の養生シートの取り付けに使用してもよい。また、取付け具１０は、上述の外壁補修工事用安全シュート２０以外の形態のシュートに使用してもよい。
【図面の簡単な説明】
【００２４】
【図１】本発明の好ましい実施の形態に係る外壁補修工事用安全シュート又は養生シートの取付け具の斜視図である。
【図２】図２（ａ）は図１の取付け具の平面図、図２（ｂ）は図１の取付け具の正面図、図２（ｃ）は図１の取付け具の左側面図、図２（ｄ）は図１の取付け具の右側面図である。
【図３】図１の取付け具を用いるのに適した外壁補修工事用安全シュートの斜視図である。
【図４】図１の取付け具の使用法を示した図である。
【図５】図４（ａ）の部分５の拡大図である。
【符号の説明】
【００２５】
１０  外壁補修工事用安全シュート又は養生シートの取付け具
１２  本体
１４  パイプ受け部
１６  壁当て部
１８  ピン
２０  外壁補修工事用安全シュート
２２ａ〜２２ｅ  外壁補修工事用安全シュートを構成する壁
２４  開口部
２６  袋
２８  飛散防止壁
【図１】
0005382901.tif 000002
【図２】
0005382901.tif 000003
【図３】
0005382901.tif 000004
【図４】
0005382901.tif 000005
【図５】
0005382901.tif 000006